(57)【特許請求の範囲】
【請求項１】
外側のドアの表側のケースフレーム（２´）のカバープレート（９´）に露呈状態に設けられた多数の同一形状、同一サイズのカバーボタン（１０）に被嵌されたバー状のボタン本体（５４）が本締り錠（６）のデッドボルト（５）をアンロックするキーワードに従う配列状態にセット自在にされ、又該ケースフレーム（２´）内にスライド自在なキープレート（４０）に係合解離自在に設けられ、而して該キープレート（４０）に連係される上記ドアの表側、及び、裏側のハンドル（７´´，７´´´）が角芯棒（８´）を介し上記本締り錠（６）に係合されるようにされている回転式のボタン錠（１）において、
上記バー状のボタン本体（５４）が多数バー状に形成され、スライド自在の押えプレート（３６）及びキープレート（４０）に側方から当接することによって該プレート（３６，４０）のオーバースライドを阻止するための上下２つのストッパフランジ（６０，６０´）と、その一のストッパフランジ（６０´）との間に段差部（５８）が形成されるように設けられた周囲がテーパー状の他のストッパフランジ（５７）と、を一体的に有し、
スライド自在に設けたリセットプレート（４３）に係合ピン（６６）が植設され、該係合ピン（６６）を介してロックスプリング（６６´）が張設され、該ロックスプリング（６６´）が上記ストッパフランジ（５７，６０´）の間の段差部（５８）で係止されることによって、上記ボタン本体（５４）の押し込み状態が維持されるようになっており、
又上記ケースフレーム（２´）内にて押えプレート（３６）と重層され、スライド自在に設けられたキープレート（４０）の所定位置に該バー状のボタン本体（５４）を挿脱自在にされた設定数の同一形状、同一サイズのスリットノッチ（３７）が穿設され、
上記各ボタン本体（５４）が該キープレート（４０）のスリットノッチ（３７）に遊挿されてケースフレーム（２´）に直交して進退自在にされ、一つの旋回姿勢で該キープレート（４０）と交叉して該キープレート（４０）の進退を遮断し、他の旋回姿勢でキープレート（４０）の進退を許容する位置にて該キープレート（４０）に平行な上記ストッパフランジ（６０，６０´）に対しバー状のボタン本体（５４）の選択的姿勢を許容するマイナスノッチ（５６）がすり割り状に各ボタン本体（５４）の先端に形成され、
又該バー状のボタン本体（５４）の各々がリセットプレート（４３）に上記ロックスプリング（６６´）を介して解離自在に掛止され得るような形状にされ、
上記ハンドル（７´´，７´´´）が角芯棒（８´）を介して上記本締り錠（６）に係合自在にされ、更にその回転軸（７７´）に対し選択的に左右使い勝手の固定用ネジ（８５´）が設けられ、
上記ケースフレーム（２´）のカバープレート（９´）にクリヤーボタン（４８）が一本設けられ、該クリヤーボタン（４８）はカムフランジ（５２）を有し、該カムフランジ（５２）が上記リセットプレート（４３）のカム面（４２´）と係合するようになっていることを特徴とするボタン錠（１）。
【請求項２】
上記バー状のボタン本体（５４）に対して上記ロックスプリング（６６´）が係合自在なフックノッチ（６１）がボタン本体（５４）に形成されていることを特徴とする請求項１記載のボタン錠（１）。
【請求項３】
上記キープレート（４０）がボタン押えプレート（３６）とボタンに対するリセットプレート（４３）との間にスライド自在に介装されていることを特徴とする請求項１記載のボタン錠（１）。
【請求項４】
上記クリヤーボタン（４８）のカムフランジ（５２）にはテーパ面が形成されており、
該クリヤーボタン（４８）のカムフランジ（５２）のテーパ面と、上記リセットプレート（４３）のカム面（４２´）とが係合することによって、該リセットプレート（４３）の各バー状のボタン本体（５４）に対するロックが解除されるようになっていることを特徴とする請求項１記載のボタン錠（１）。
【請求項５】
上記回転軸（７７´）にハンドル抜け止め用のスナップワッシャー（８４）が介設されていることを特徴とする請求項１記載のボタン錠（１）。
【請求項６】
上記回転軸（７７´）がハンドル（７´´，７´´´）の基部（７２）にネジボルト（８５）を介して挿設されていることを特徴とする請求項１記載のボタン錠（１）。
【請求項７】
上記ボタン本体（５４）の前記マイナスノッチ（５６）のすり割りの左右の両側が相互に異なる色（６５´´）に色分けされていることを特徴とする請求項１記載のボタン錠（１）。
【請求項８】
上記キープレート（４０）とボタン押えプレート（３６）のロックノッチ（６９，６９´）にボタン座金（６３）がスプリング（６４）を介してバー状のボタン本体（５４）に沿って嵌挿されていることを特徴とする請求項１記載のボタン錠（１）。
【発明の詳細な説明】
【０００１】
【発明の属する技術分野】
開示技術は、ボタン操作により住宅等のドアを施解錠し得るキーレスタイプのボタン錠の構造の技術分野に属する。
【０００２】
【従来の技術】
周知の如く、建物のドア等に用いられる施解錠用の錠には種々のものがあるが、大半のものはキー操作によるシリンダ錠タイプの所謂本締り錠を用いて施解錠する態様のものであるが、外観的な意匠性をさ程重要視しない倉庫等のドアの施解錠等には所謂ナンバー錠が用いられているに過ぎず、住宅用、営業用を問わず、一般の埋込タイプの本締り錠では通常はキー操作態様のものが圧倒的に多く用いられている。
【０００３】
さりながら、該種キー操作方式による本締り錠等の錠にあっては、文字通り、錠前とキーがマスターキーを含めて所定の組合せにされたユニットの一体物として機能するようにされており、したがって、一旦、該キーを紛失すると、本来的な機能の喪失をきたす欠点があり、又、統計によると、キー操作忘れによる施解錠不能に至る場合が極めて多い等の難点があり、所謂ピッキング等による防犯上の点からも好ましくないという不都合さがあった。
【０００４】
勿論、金庫にセットされるような所謂ダイヤル錠をドア等に設けることも原理的には可能であるが、実際に通常のドアに該種ダイヤル錠を付設することは両者の構造上の制約や設計上のマッチングの条件や、意匠上のネック等の点から設置不可能に近いという不具合がある。
【０００５】
［特許文献１］  特開昭５７−７１９６８号公報
［特許文献２］  特開平６−６６０５５号公報
これに対処するに、錠を近時ドア等の表面に固設して所定数のボタン本体を予め設定された施解錠用の所定の組合せのキーワードに従うセット状態にし押し込み操作によりシリンダ錠を作動させ、デットボルトを進退応動させて施解錠する所謂タンブラー型の押し込み式のボタン錠が、例えば、出願人の先願発明である特開昭５７−７１９６８号公報（特公昭６２−５４９５１号公報）や特開平６−６６０５５号公報等に示されている図２１，図２２に示される様な態様で案出されて実用化されるようになっており、該種ボタン錠は図示しないドアの外側に配設されるケースフレーム２と該ケースフレーム２に対しブリッジパイプ３，３を介し、該ドアの裏側に設けられるバッキングプレート４、及び、ドアの内部に設けられたデッドボルト５を有する周知の本締り錠から成っている。
【０００６】
尚、該本締り錠はケースフレーム２のハンドル７と上記バッキングプレート４のハンドル７´との間に介装されて施解錠自在にする角芯棒８が連結されている。
【０００７】
而して、該ケースフレーム２内に設けられているカバープレート９に所定に配設された設定数のカバーボタン１０，１０…に被嵌されたボタン本体が図２２に示す様に、板状のタンブラー１１であり、図示しないキープレートによりロック状態とアンロック状態にセットすることが出来るスリットノッチ１２を中途部分に割設され、上下両端部には該タンブラー１１を押し込み状態にセットする同じく図示しないリセットプレートに設けたロックスプリングに係合するフックノッチ１３，１３を形成されているようなものが用いられていた。
【０００８】
したがって、該種ボタン錠１にあっては、使用者が所望に応じて、カバープレート９に表示してあるボタン１０の番号をキーワードの指定数（ナンバー）に従って、該ボタン１０を記憶状態にすることが選択的に可能であるようにされているがために、該タンブラー１１を図示しないドアに初期取付するに際しては、当該タンブラー１１を記憶状態（正立状態）、又、該記憶状態には非記憶状態（倒立状態）に選択してセットせねばならず、又、不測にして都合により該ボタン１０の記憶状態の配列を変えねばならないような必要状態が生じた場合には、該ケースフレーム２を該ドアから取り外し、機構部を分解して各タンブラー１１の正立，倒立姿勢状態を選択的に変えねばならず、したがって、該タンブラー１１の正立，倒立の切り換え作業が甚だ面倒であり、又、頻繁な正立，倒立の状態の変更によって該タンブラー１１が変形したりしてその機能を失うというデメリットがあった。
【０００９】
［特許文献３］  特開昭５８−８００７４号公報
これに対処するに、例えば、同一出願人の先願発明である特開昭５８−８００７４号公報発明に開示されてある様な図２３に示す様に板状のタンブラー１１に代えて、回転式ボタンを有するボタン錠が改良発明として開発され、市場にあって、それなりに満足が得られるように改良的に実用化されてはきている。
【００１０】
而して、該種回転式ボタンに有するボタン錠にあっては当該図２３に示す様に、ボタン本体７４が円柱状のヘッドに形成され、その下部の表面側に９０゜周方向の位相を異ならしめ相互に交叉するように形成された２段のスライドノッチ１３´，１３´を形成し、当該二段の周方向９０゜の位相差を有して形成させたスライドノッチ１３´，１３´の間にはフラットな垂位面１５を形成させて、該スライドノッチ１３´，１３´の間の大きさがキープレート１６に設けたスライドノッチ１７を相対スライドすることが出来るようにされ、又、該ボタン本体７４のスライドノッチ１３´の長さは該キープレート１６のスライドノッチ１７の幅よりも大きくされ、したがって、当該図２３に示す様な姿勢では、該キープレート１６のボタン本体７４に対するスライドは不可能にされて結果的にロック状態が現出される場合がり、これに対し、ボタン本体７４のシャンク先端に設けたマイナスノッチ１９によりドライバー等を介しボタンを９０゜回転させて、カバーボタン１０を介し該ボタン本体７４を押し込むと、ボタン本体７４の上段のスライドノッチ１３´がキープレート１６のスライドノッチ１７に会合可能にされ、したがって、該キープレート１６はボタン本体７４に対しスライド自在にされ、これによってハンドル７は左右（Ｌ，Ｒ方向）に旋回し、角芯棒８を介し本締り錠を作動させてデッドボルト５を進退させて施解錠することが可能になるようにされてはいる。
【００１１】
したがって、当該図２３に示す様な、ボタン本体７４の下段のスライドノッチ１３´がキープレート１６のスライドノッチ１７に対向して該スライドノッチ１７のショルダー部２０´に干渉する姿勢では非記憶状態になり、該キープレート１６はスライドせず、又、ボタン本体７４のシャンクの先端に形成したマイナスノッチ１９によって９０゜回転させることにより、ボタン本体７４をスプリング２１に抗して押し込み、下側のリセットプレート２２をスライドノッチ１３´に対して設けたフックスプリング２４に該シャンクのマイナスノッチ１９の上部に設けたリング状のノッチ２５に係合させることにより記憶状態を維持し、当該記憶状態においては上段のスライドノッチ１３´がキープレート１６のスライドノッチ１７に会合するために、該キープレート１６はスライド可能となり、ハンドル７が回転可能になり、角芯棒８を介して本締り錠６を解錠し、デッドボルト５を後退させることが出来るようにされてはいる。
【００１２】
そして、当該図２３の態様において、２６はキープレート１６の押えプレートであり、２７は該押えプレート２６の裏板であり、２８は該押えプレート２６と裏板２７をしてキープレート１６に押圧するスナップワッシャーであり、２９は裏板であり、３０はバッキングプレートであり、３１はリセットプレート２２の戻り付勢用の弾圧スプリングである。
【００１３】
而して、当該図２３の態様に示す回転式のバー状のボタン本体７４を有するボタン錠１にあって、キープレート１６の該バー状のボタン本体７４に対するロック状態はスライドノッチ１７のショルダー部２０´によって行われ、したがって、該亜鉛製のキープレート１６にあっては、該ショルダー部２０´とスライドノッチ１３´の高頻度の当接では摩耗が生じ易く、ロック状態が常に確実に図れないという欠点があり、又、ボタン本体７４がそのシャンクの先端部のマイナスノッチ１９による９０゜回転によるロック状態，アンロック状態の現出では限界角が９０゜であるために、上下二段のスライドノッチ１３´，１３´の上記ショルダー部２０´における摩耗の激しさが少なく、記憶状態と非記憶状態の現出が確実に保証出来難いという難点があった。
【００１４】
而して、上述図２１や図２３によるタンブラー式のボタンのボタン錠１にあっては、実際の使用態様によっては図示しないドアとの取り合いにおいて、右勝手や左勝手等の使い勝手が必要な場合があり、これに対処するに、図２４の態様に示す様に、ハンドル７に連係する回転カム２３がキープレート１６に当接して該キープレート１６をスライドさせる作動の際の右作動（Ｒ）用の右作動ピン４８と左作動（Ｌ）用の作動ピン４８´を選択的に押し込んで嵌合させて使用せねばならず、デッドボルト５に対するボタン錠の左勝手用，右勝手用の取り付け等の施工が極めて煩瑣であり、又、該作動ピン４８，４８´の部品の保管や管理が繁雑であるというマイナス点もあった。
【００１５】
又、該種在来態様においては、ドアの一方側のケースフレーム２に設けたハンドル７は単にボルト固定方式であるために、泥棒や悪気がある悪戯行為によりボルトを外してハンドル７が持ち去られるという被害が頻繁に生じ、ボタン錠としての本来的な機能が全う出来ないという不都合さがあった。
【００１６】
【発明が解決しようとする課題】
この出願の発明の目的は上述旧来技術，従来技術に基づくボタン錠の種々の問題点を解決すべき技術的課題とし、回動式ボタンの作動のメリットを生かしながら、その押し込みによる記憶状態，非記憶状態のいずれにもかかわらず、キープレートのボタンのシャンクに対するスライドが自在に出来、ボタンのロック状態，アンロック状態の選択的な高頻度の現出によっても、ボタンの、或いは、キープレートのスライドノッチの摩耗がなく、耐久性が良好で、各機械的機構部に対する作動部は耐磨耗性金属製のものとし、ボタン錠としての機能が設計通りに常時維持することが出来、初期ドアに対する取付工事は勿論のこと、中途において、左勝手，右勝手の使用状態も安定してスムーズに選択的に自由に行え、しかも、ハンドルの抜き取り等の防犯対策も出来、ボタン錠の本来的なメリットを充分に生かし、スムーズな利便性が保証出来るようにして建築産業における錠使用技術利用分野に益する優れた機能を有するボタン錠を提供せんとするものである。
【００１７】
【課題を解決するための手段】
上述目的に沿い先述特許請求の範囲を要旨とするこの出願の発明の構成は、前述課題を解決するために、外側のドアの表側のケースフレームのカバープレートに露呈状態に設けられた多数の同一形状、同一サイズのカバーボタンに被嵌されたバー状のボタン本体が本締り錠のデッドボルトをロック，アンロックするキーワードに従う配列状態に記憶状態，非記憶状態にセット自在に、又、ケースフレーム内にスライド自在なキープレートに係合解離自在に設けられ、而して、該キープレートに連係されるハンドルが角芯棒を介し上記本締り錠に係合されるようにされている回転式のボタン錠であって、上記ボタン本体がバー状に形成されて上下二段のストッパフランジを一体的に有し、又、上記ケースフレーム内にてスライド自在に設けられたキープレートの所定位置に該ボタン本体を挿脱自在にされた設定数の同一形状、同一サイズのスリットノッチが穿設され、上記各バー状のボタン本体が該キープレートの該スリットノッチに遊挿されてケースフレームに直交して進退自在にされると共に一つの旋回姿勢で該キープレートと交叉して該キープレートの進退を遮断し、他の旋回姿勢ではキープレートの進退を許容する位置に該キープレートに平行な上記ストッパフランジがボタン本体の選択的姿勢を決定するマイナスノッチがボタン本体の先端に設けられ、又、バー状のボタン本体の各々がリセットプレートに解離自在に掛止されてロック状態を現出し得るようにされ、而して、上記本締り錠に連係するハンドルが該キープレートとリセットプレートに旋回カムを介して係合自在にされ、更に、該旋回カムの回転軸に対するハンドルに左右の使い勝手の固定用ネジが設けられ、又、上記ケースフレームのカバープレートに対してキープレートのアンロック用のクリヤーボタンが設けられていることを第１の基幹とし、而して、上記キープレートに上記バー状のボタン本体のストッパフランジに係合自在なフックノッチが形成されているようにし、又、上記フックノッチが山形に形成されているようにもし、更に、上記キープレートがボタン押えプレートとリセットプレートとの間にスライド自在に介装されているようにし、更に又、上記リセットプレートにボタン本体のフックスリットに対するストッパスプリングが配設されているようにもし、上記クリヤーボタンがリセットプレートの各ボタン本体に対するロックが解除自在なカム面を形成されているようにし、上記キープレートとリセットプレートとの間に弾圧スプリングが介装されているようにし、又、上記回転軸にハンドル抜け止め用のスナップワッシャーが介設されているようにもし、上記スナップワッシャーと回転軸との間にハンドル固定用のワッシャーが介装されているようにもし、更に、上記回転軸がハンドルの基部にネジボルトを介して挿設されているようにし、上記ボタン本体の前記マイナスノッチの左右側が各々別個の色に色分けされているようにもし、上記キープレートとボタン押えプレートにボタン座金がスプリングを介して嵌挿されているようにもした技術的手段を講じたものである。
【００１８】
［作用］
上述構成において、この出願の発明のボタン錠をドアに取り付けるに際し、又は、中途で取付位置を交換する等の時に左勝手、又は、右勝手用にハンドルをボタン錠のケースフレームに取り付けるに際し、介装する回転カムの回転軸にハンドルの基部を角スパナ用ネジを介し選択的に固定し、而して、該回転軸との間にハンドル抜け止め用のワッシャーにより第一義的に固定し、次に、該ハンドル固定用のワッシャーと回転カムとの間にスナップワッシャーを介装して抜け止めが第二義的に確実には出来ないようし、且つ、旋回動は自在に出来るようにし、而して、該ハンドルのボス部に側方から角スパナを用いて上記ネジを右勝手用位置、或いは、左勝手用位置に締め付け固定し、該ハンドルがケースフレームからは上述の如く絶対に取り除けないようにし、該ハンドルの所望方向に旋回はさせることにより、しかも、該ハンドルの回転軸に固定された回転カムがケースフレームによって設けられたキープレートをスライドし、ボタン押えプレートに装着されたカバーボタンに対してバー状のボタン本体を戻りスプリングを介装した状態で該戻りスプリングに抗してカバーボタンを押し込むことにより該バー状のボタン本体は押し込まれ、該ボタン本体の上下二段のストッパフランジがボタン本体レートに対応して設けられたフックノッチに会合してスライドするようにされた記憶状態においては、該キープレートのフックノッチにストッパフランジがスライドし、非記憶状態のボタン本体のストッパフランジはキープレートのフックノッチに係合しないようにスライド不可能にされ、記憶状態と非記憶状態はボタン本体のシャンク先端に設けたマイナスノッチを各々個別の色に色分け等を目印として１８０゜旋回させることにより、ストッパフランジがキープレートの所定のフックノッチにも係合してハンドル操作によりロック状態が維持されてキープレートがスライドせずに解錠を不可能にされたボタン本体を戻りスプリングに抗して押し込むことにより、他のストッパフランジがキープレートのスライドノッチに会合してスライドを許容されるようにされる。
【００１９】
又、記憶状態のボタン本体のストッパフランジは予めキープレートのスライドノッチに会合状態にされることにより、全てのキープレートはスライド可能にされ、ハンドルは回動し、角芯棒を介し本締り錠の解錠を可能とし、デッドボルトが後退して解錠が可能にされ、上述施解錠の反復動作により亜鉛製の各ピン等の部品はボタン本体のシャンクに設けられた上下二段のストッパフランジ、及び、キープレート、及び、ボタン押えプレートの双方に設けた山形等のフックノッチによる掛合があっても、損耗等が生ぜず、したがって、耐久性が良好であり、ボタン本体がシャンクの先端のマイナスノッチにより１８０゜の旋回動によって左右の色分けを介して記憶状態と非記憶状態が選定され、ボタン本体のストッパフランジとキープレートのフックノッチと１８０゜位相差による係合を介し、又、全機械的機構部の作動部が耐摩耗性金属製とされて作動中の損耗が避けられ、耐久性が良好でキープレートのロック状態やアンロック状態が維持され、又、ハンドルはその基部に螺合されたネジに対する角スパナを介してその回転軸に対し相対回転することにより、右勝手，左勝手が自在に選定出来、抜け止めが防止される。
【００２０】
使い勝手が良い面を有しながら、防犯性が向上し、安全性と耐久性の向上が図られるようにしたものであり、又、ボタン押えプレートとキープレートのボタン孔にはボタン座金がスプリングを介して介装され、該ボタン座金はキープレートのスライドノッチの側部に設けたロックノッチに嵌着してハンドルを回しながら、キープレートを少しずつスライドして記憶状態のボタン本体のキーワードを探ろうとしても、当該スライドを防止し、記憶されたボタン本体のキーワードを探られないようにし、ボタンの耐久性と防犯性の向上、並びに、ハンドルの抜け止めを防止するようにしたものである。
【００２１】
【発明の実施の形態】
次に、この出願の発明の実施しようとする形態を実施例の態様として図１〜図２０に基づいて説明すれば以下の通りである。
【００２２】
尚、図２１以下の図面を参照して同一態様部分は同一符号を用いて説明するものとする。
【００２３】
而して、図示形態は住宅等の観音開きタイプのドアに設置される態様であり、図１に図示する態様において、１はこの出願の発明の要旨の中心を成すボタン錠であり、図示しない観音開きタイプのドアに対し、該ドア内に図２１に示す在来態様同様に、該ドア内に所定に埋め込み式に設置された本締り錠のデッドボルト５を進退動させて施解錠を成すものであり、そのケースは当該図２１に示す様に、ドアの表側に取り付けられる機構部のケースフレーム２´と該機構部のケースフレーム２´に対し、ドアの裏側にブリッジパイプ３，３を介し連結されるバッキングプレート４´より成るものであり、該表側のケースフレーム２´には該本締り錠を施解錠するハンドルとしてのレバーハンドル７´´が、又、裏側のバッキングプレート４´には該レバーハンドル７´´に対応するレバーハンドル７´´´が上記本締り錠を挿通する連結自在な角芯棒８´を介して連動自在に設けられている。
【００２４】
而して、ドアの表側に取り付けられる機構部を成すケースフレーム２´内には図２に示す様に、レバーハンドル７´´側からカバープレート９´が図１０に示すセット孔３３と１から０までの９つの数を側部に表記されたカバーボタン１０、及び当該図１０に示す様に、Ａ，Ｂ，Ｃの表示が側部になされたクリヤーカバーボタン１０´の計１１個に対するセット孔３３、及び、該クリヤ−カバ−ボタン１０´のセット穴３３´が穿設されて該カバープレート９´に続いて図２，図５に示す様に、ボタン本体５４を挿通するボタン孔３４，３４を１２個、及び、頂部にクリヤーボタン４８を挿通するクリヤーボタン孔３５を有するボタン押えプレート３６が敷設的にセットされるようにされており、更に、図上その上部にはキープレート４０が該各ボタン孔３４に対応する後述記載のボタン孔のスリットノッチ３７が対応的に１２個穿設され、頂部の両側には後記する戻りスプリングの受フランジ３８，３８を形成し、該両受フランジ３８の間に上記クリヤーボタン孔３５に対応するクリヤーボタン孔３９を穿設されて積層されるようにされ、更に、該キープレート４０の上部側には次述する如く、リセットプレート４３が重層的に固設されるようにされ、該キープレート４０のクリアーボタン孔３９に重位されるクリヤーボタン孔４２を先端部に設けられ、ボタン押えプレート３６の各ボタン孔３４，キープレ−ト４０のスリットノッチ３７に各々対応するスリットノッチ４１，４１…が設けられ、ボタン孔４４，４４…を１２個形成されて後記ボタン本体５４を挿通する所定スパンスライド可能なリセットプレート４３が積層されるようにされ、そして、ボタン押えプレート３６の各ボタン孔３４，スリットノッチ３７，４１とに後記する各バー状のボタン本体５４を挿通されるようにされ、又先端部のクリヤーボタン孔４５の側部部分には図１０に示すＣの記号が、又、各ボタン孔４４の側部に対しては１〜０の記号、及び、Ａ，Ｂの記号を刻印されてキーワードを明示するようにされている裏板４６が図２に示す様に、重層的にケースフレーム２´内に相互に密着状に、且つ、積層状態に図示しないビス等により取り付け固定されるようにされている。
【００２５】
そして、該裏板４６に対しては、ドアの裏側にバッキングプレート４´が前述の如くブリッジパイプ３，３を介し一体的に結合するようにされている。
【００２６】
尚、ケースフレーム２´のレバーハンドル７´´とバッキングプレート４´のレバーハンドル７´´´の端部寄りに設けられているノッチ３２，３２´は不測のトラブルに備えて用いられるマスターキー用の挿入孔であり、そして、該レバーハンドル７´´の基部には該角芯棒８´を有する回転カム４７が設けられている。
【００２７】
次に、ケースフレーム２´内に設けられて重層式にセット組付される各機構部について各論的に詳述すれば次の通りである。
【００２８】
まず、クリヤーボタン４８については、その形状は図３に示す通りに形成されており、図示態様は都合により、前記カバーボタン１０側を下側にして示されてあり、バッキングプレート４´側には所定径の断面短円柱状の所定サイズのシャンク４９がその下部側に一体的に形成されたカムフランジ５２の劣弧部にはフラット面５１が形成され、該劣弧部にはカバーボタン１０側に広がるテーパー面のカムフランジ５２が形成され、該カムフランジ５２の下面には上記断面円形のシャンク４９よりも幅広で両側面にフラット面５１´が形成されたサブカムフランジ５３が形成され、該サブカムフランジ５３からは両面にフラット面５０を形成された所定長さのシャンク４９´が、又、該フラット面５０とサブカムフランジ５３のフラット面５１´は当該図３の（ｂ），（ｅ）に示す様に、面一形状に形成されていることになる。
【００２９】
尚、該カムフランジ５２の劣弧部のフラット面５１とシャンク４９、及び、サブフランジ５３のフラット面５１´の側部は当該図３の（ｅ）に示す様に、僅かな段差を有して形成されており、当該図３の（ａ）〜（ｅ）に示す様な形状については上記のリセットプレート４３の所定スパンのスライドをスムーズに行え、干渉性を少くするために設けられると共に空錠に対する作動を許容するために形成されているものであり、そして、該リセットプレート４３と裏板４６の間には図１８に示す様に該裏板４６に植設した係止ピン６６を介してリセットプレート押えプレート４６´が介装されるようにされている。
【００３０】
したがって、上記カムフランジ５２、該リセット押えプレート４６´はそのテーパー面をして図１７に示す様に、リセットプレート４３、該リセット押えプレート４６´の端部に形成された方形のカムフレーム４２の内側に形成されたカム面４２´に対するカム作用を行い、該リセット押えプレート４６´を所定スパンでスライドしてリセットすることが出来るようにされているものである。
【００３１】
次に、バー状の各ボタン本体５４の形状は図４に示す様な形状に形成されてあり、当該図４に於いても、説明の都合上、カバーボタン１０に対するシャンク５５´を下側にしてバッキングプレート４´に対するシャンク５５を上側にして示されており、裏板４６のボタン孔４４に臨ませる断面円柱状のシャンク５５の頂部には該ボタン本体５４を記憶状態、又は、非記憶状態に旋回動してキーワードを設定するマイナス状のノッチ５６がすり割り状に刻設されており、その片方側の表面には黒、又は、赤の色分け６５´´がつけられており、該シャンク５５の下部にはカバーボタン１０側に向けて広がるリング状であって上面がテーパー状に形成されたストッパフランジ５７が当該図４の（ｇ）に示す様に、一体的に形成され、該ストッパフランジ５７からはキーワードとして記憶状態に軸方向に押し込まれた際の該ボタン本体５４の記憶状態を保持するべく、図１６，図１７に示されているリセットプレート４３と該リセットプレート４３と裏板４６との間に密着状にセットされる図１８に示す前記上記押えプレート４６´の間に該押えプレート４６´から植設されている係止ピン６６を介して該リセットプレート４３と押えプレート４６´の各ボタン孔としてのスリットノッチ４１，４１´を斜めにトラバースするリセットスプリングとしてのトーションスプリング６６´が前記係止ピン６６を介してトラバース状に渡設されているのに係合するように図４の（j）に示す様に、ストッパフランジ５７の先部にストッパフランジ６０´の段差部５８が形成され、カバーボタン１０側寄りに軸方向に二段のストッパフランジ６０，６０´がシャンク５５の径と対角長さが等しい断面方形のシャンク６２に一体的に形成されている。
【００３２】
而して、該各ストッパフランジ６０，６０´はシャンク５５のマイナスノッチ５６に対し平行に面対称的に優弧面５９とその両部のフラット面５８´，５８´を有し略扇形に形成され、当該図４の（ｆ），（ｈ），（ｉ），（ｊ）に示す様に、面対称的に形成され、その鈍角的なショルダー部は図１３に示す様に、ボタン押えプレート３６のボタン孔としてのスリットノッチ３４の深さ方向中途部に形成された山形形状の突起部７１と、キープレート４０の図１４，図１５に示したボタン挿通孔としてのスリットノッチ３７の端面に形成された両山形形状の突起部７１´に対し該ボタン押えプレート３６とキープレート４０の上下面と前後面の双方から図９に示す様に、押え当接係合して、不測のオーバーなスライドを阻止し、亜鉛製のボタン押えプレート３６とキープレート４０の該ボタン本体５４の係合による余分な損耗を防止するようにされている。
【００３３】
尚、上下二段のストッパフランジ６０，６０´に一体的にカバーボタン１０側に延設している断面方形のシャンク６２の表面の幅サイズはキープレート４０の縦方向のスリットノッチ３７に略合致して両者の相対スライドを許容するようにされており、又、図８の（ｎ）に示す様に、ボタン本体５４をしてそのマイナスノッチ状のすり割り５６により、記憶状態に旋回動した姿勢では軸方向に押し込まれたボタン本体５４の上段のストッパフランジ６０の優弧部５９がスライドして停止する形状に図１５に示す様に、スリットノッチ３７の底部３７´が上記優弧面５９に合致する形状に成形されている。
【００３４】
当該図８において、左側の上向矢印の×印はキープレート４０のスライド不可能な状態を示し、右側上向矢印の○印はスライド可能な状態を示してものである。
【００３５】
そして、図８の（ｍ），（ｎ）はボタン本体５４を記憶状態に回転させた状態を示すものであり、（ｍ）はボタン本体５４が押し込まない姿勢状態であり、（ｎ）はボタン本体５４を押し込んだ姿勢状態を示すものであり、又、（ｏ）は非記憶状態のボタン本体５４の押し込まれていない状態を示すものであり、（ｐ）は当該非記憶状態のボタン本体５４を押し込んだ状態（押し込まなくても良い）を示すものであり、（ｏ），（ｐ）の状態は、いずれにしても、キープレート４０のボタン孔としてのスライドノッチ３７に対し、上下二段の各ストッパフランジ６０，６０´の鈍角のショルダー部がスライドノッチ３７の端部のショルダー部に係合して、又、図９の（ｑ），（ｒ），（ｓ）に示す様に、ボタン押えプレート３６の裏面の図１３に示すリング状のサブノッチ３４´´の中央部端の底部に設けられた三角形状の突起部７１、及び、キープレート４０のスリットノッチ３７の上端部に下向きに設けられた山形形状の突起部７１´にも係合してボタン本体５４とキープレート４０の相対スライドを阻止し、又、ショルダー部と各突起部７１，７１´の過剰な係合を介しての相互摩耗による機能減退を阻止するようにされている。
【００３６】
而して、図１３に示す様に、ボタン押えプレート３６の表裏面に於いては、ボタン本体４７の挿通孔のスライドノッチ３４の両側には相対向して方形のロックノッチ６９が貫設され、又、キープレート４０のスライドノッチ３７の両側にも同様に図１４，１５に示す様に該方形のロックノッチ６９´が対応的に形成され、図５の（ｋ）に示す様に、ボタン本体５４を裏板４６、キープレート４０の各ボタン孔としてのスライドノッチ４４，３７に挿通して組付するに際し、カバーボタン１０の内部にフォーク状のボタン押え座金６３の双方のフォーク部を当該方形のロックノッチ６９，６９´に挿通し、操作者が悪意、又は、犯意をもってレバーハンドル７´´を外部から回すことにより、該レバーハンドル７´´の回転軸７７（図１９）に一体の図２に示す回転カム４７を介しキープレート４０を微少量だけスライドすることにより、そのクリアランスにより刻印されたキーワードを探って解錠することが出来ないように、当該悪意又は犯意をもってキープレート４０を微少量スライドすることを阻止するようにされている。
【００３７】
而して、ボタン押えプレート３６に於いては、図１３に示す様に、そのボタン孔３４の周囲には所定深さでリング状のサブノッチ３４´が隣設状に穿設され、該サブノッチ３４´の底部にはその表面から該サブノッチ３４´の深さの半分相当の三角形状の三角形状の突起部７１が設けられて図９の（ｑ）に示す様に形成され、当該図９の（ｒ）に示す様に、記憶状態のボタン本体５４の記憶状態の上下のストッパフランジ６０，６０´がボタン押えプレート３６の三角形状の突起部７１とキープレート４０の山形形状の突起部７１´の双方にそのショルダー部が上下両面、及び、前後両方向から係合してボタン本体５４に対し、キープレート４０が相対スライドしないようにされている。
【００３８】
そして、当該図９の（ｓ）に示す様に、記憶状態にあるバー状のボタン本体５４を弾圧スプリング６４に抗して軸方向に押し込み状態にするキーワードに対しては図８に示す様に、一方側のストッパフランジ６０´がキープレート４０のスライドノッチ３７を通過し、同様に他方のストッパフランジ６０もスライドノッチ３７を通過する姿勢にされてキープレート４０のボタン本体５４に対する相対スライドを許容するようにされている。
【００３９】
尚、当該図９の（ｒ），（ｓ）は図示の都合上、シャンク６２，５５は省略してある。
【００４０】
而して、ボタン本体５４の組付セット時には図５の（ｋ）に示す様に、まず、カバーボタン１０内の凹部分にボタン座金６３を挿入し、次いで、ストレート状に圧縮したの弾圧スプリング６４を介装し、ワッシャー６５をグリース付けを介し該ボタン押えプレート３６のリング状のサブノッチ３４´に張り付けて脱落しないようにし、次いで、ボタン本体５４のシャンク６２を該ワッシャー６５の四角孔６５´に挿通し、上下のストッパフランジ６０，６０´をキープレート４０のスライドノッチ３７に挿通し、次いで、リセットプレート４３、リセットプレート押え４３´の間に介装し、ピン６６を介して張設されているリセットスプリングとしてのトーションスプリングのロックスプリング６６´をストッパフランジ６０と６０´の間隙部に係止し、最後に外形がテーパー形状のスプリング６７を介しボタン押えプレート３６をセットする組み付けを各ボタン本体５４に対して行う。
【００４１】
又、クリヤーボタン４８の組付に際しては図５の（ｌ）に示す様に、そのカバーボタン１０に対し保護カバー６８を介しストレート状に圧縮したスプリング６４´を組付けてシャンク５０部分を挿入し、リセットプレート４３のボタン孔４２の孔を挿通し、該ボタン孔４２の孔のカム面４２´にカムフランジ５２のテーパー面を係合するようにし、最後に裏板４６との間にテーパー状にセットしたスプリング６７を介装して弾圧付勢させて組付を終わるようにする。
【００４２】
而して、外側のレバーハンドル７´´の不測の悪意による抜け取り等を防止し、且つ、右勝手，左勝手の使用状態が自在に出来るように、該レバーハンドル７´´のレバーの基部７２に対しては図１９の（ｔ），（ｕ）に示す様に、両側の方向にノッチ７３，７３を有するフォーク状に形成した回転軸７７を挿通し、該回転軸７７の略中央部のフランジを介して形成した短角筒部にリング状に形成したノッチ７４にレバー角孔７９を介して止め座金８０を貫挿させ、該リング状のノッチ７４に隣設する４つの部分ノッチ７５にレバー止めスナップワッシャー８４を介装し、更に、回転軸７７、及び、レバー止め座金８０の角孔７９にレバー軸８３を挿通し、該スナップワッシャー８４を介し六角スパナ用のボルト８５を捩じ込み、六角スパナ８６をもって、その部品全体をレバーハンドル７´´の基部７２に一体的に固定させ、回転軸７２の回転軸７７の部位に対しては、該レバーハンドル７´´の基部７２に螺刻したネジ孔８２´にネジ８５を六角スパナ８６´を介して該フォーク部の１８０゜位相差を介して相対向して刻設された第１９の（ｕ）に示す様に回転軸７７をノッチ７３，７３に選択的に通して緊締させることにより、該レバーハンドル７´´は回転軸７７に対し回転自在であると共に、一方側の右勝手，他方側の左勝手の使用状態に対する締め付け固定が行われ、又、その抜け止めを図るには、回転軸７７に介装したレバー止め座金８０、スナップワッシャー８４による軸方向反力により確実に抜け止めが図られ、故意、又は、犯意によるレバーハンドル７´´の抜き取り等は行われず、又、右勝手，左勝手の使用状態に対する適用も自在である。
【００４３】
又、ドアの裏側のバッキングプレート４´側のレバーハンドル７´´´についても図２０に示す様に、上述レバーハンドル７´´に対する態様同様に、その基部７２´に対する回転軸７７´へのレバー軸８３，スナップワッシャー８４´を介しての抜け止め、及び、回転自在が図られるものである。
【００４４】
而して、このように、クリヤーボタン４８を組み付けた姿勢状態は図６に示す通りであり、又、各ボタン本体５４を組み付けた状態は図７に示す通りであり、その左半分は非記憶状態の断面図であり、その右半分は記憶状態の断面図である。
【００４５】
尚、記憶状態の裏板４６のボタン孔４４の側部に示されている１〜０，Ａ，Ｂのキーワードに示された該各ボタン孔４４を目視して見える各ボタン本体５４のカバーボタン１０とは反対側のシャンク５５のマイナスノッチ５６をマイナスドライバー等により１８０゜回転することにより、記憶状態のキーワードを設定することが出来、該キーワードのバー状のボタン本体５４が記憶状態であるか、非記憶状態であるかは図４の（ｆ）のシャンク５５のマイナスノッチ５６の片側、或いは、反対側に図４に示す様に赤色、或いは、黒等の色６５´´を各々色別につけることにより、右半分が黒等に着色されている場合は記憶状態のキーワードであることが視認されるようにする等が可能である。（而して、当然のことであるが、非記憶状態のキーワードであることが視認される。）
【００４６】
上述構成において、初期組付に際し、施工業者が発注主の注文するオーダーとしてのキーワードに応じて該ボタン本体５４の裏板４６の各ボタン孔４４を視認することが出来る各ボタン本体５４のカバーボタン１０とは反対側のシャンク５５のマイナスノッチ５６を介し１８０゜マイナスドライバー等に旋回させて所定の記憶状態に対応してセットすると、ケースフレーム２´内のキープレート４０に対する各ボタン本体５４の上下二段の各ストッパフランジ６０，６０´は記憶状態のものにあっては、図８の（ｍ）の状態となり、及び、図９の（ｒ）の状態となり、又、非記憶状態のボタン本体５４の上下二段のストッパフランジ６０，６０´は当該図８の（ｏ）の状態になって、該各ストッパフランジ６０，６０´の一方側はキープレート４０のスライドノッチ３７の山形形状の突起部７１´に係合し、又、他方の側はボタン押えプレート３６のスライドノッチ３４の底部に設けられた三角形状の突起部７１に係合して回転は阻止され、したがって、この状態でレバーハンドル７´´を解錠方向（右勝手の場合には右側Ｒ、左勝手の場合には左Ｌ側）に旋回させても、回転カム４７はキープレート４０をスライドさせることが出来ず、したがって、角芯棒８´は旋回せず、該本締り錠６のデッドボルト５は後退せず、そのため、該本締り錠６の解錠は不可能となる。
【００４７】
又、犯意、又は、故意によってレバーハンドル７´´を旋回付勢させながら、回転カム４７を介し該キープレート４０を微少量ずつスライドさせて解錠可能な記憶状態のキーワードを探ろうとしても、ボタン止め座金６３のフォーク部がボタン押えプレート３６、及び、キープレート４０のロックノッチ６９，６９´に係合しているために、両者は固定状態を維持し、記憶状態のキーワードが探られる虞れがない。
【００４８】
そして、使用人自身が解錠してドアを開くに際しては、記憶状態のキーワードのカバープレート９´の各カバーボタン１０をその決められたキーワードに従って軸方向に押し込むことにより、ボタン本体５４の上下のストッパフランジ６０，６０´が図８の（ｍ）の状態から（ｎ），図９の（ｓ）の状態に押し出され、キープレート４０のスライドノッチ３７の山形形状の突起部７１´、及び、押えプレート３６の三角形状の突起部７１に対する係合が外れ、又、該スライドノッチ３７に会合し、そして、非記憶状態のボタン本体５４は両ストッパフランジ６０，６０´がキープレート４０のスリットノッチ３７に非会合状態でレバーハンドル７´´を所定の方向に旋回動することにより、回転カム４７を介し錠キープレート４０は各ボタン本体５４に干渉することなく、戻りスプリング６４に抗して所定量スライドし、したがって、該回転カム４７は回動し、該本締り錠６は解錠されてデッドボルト５は後退し、ドアを開くことが可能にされる。
【００４９】
その間、各記憶状態に対応するキーワードのボタン本体５４をカバーボタン１０を介し軸方向に押し込み動作することにより、該記憶状態のキーワードに従って軸方向に押し込まれたボタン本体５４は図５の（ｋ）に示す様に、又、図４に示す様にそのロックノッチ５８に対するロックスプリング６６´が係合してロック状態を現出し、押し込まれたボタン本体５４は戻ることがなくロック状態が保持される。
【００５０】
そして、当該記憶されたボタン本体５４を非記憶状態に戻すには、クリヤーボタン４８をそのカバーボタン１０を介して軸方向に押し込むことにより、そのロックフランジ５２が図１６〜図１８に示す様に、リセットプレート４３のロックフレーム４２のカム面４２´に係合して図６に示す様に、該リセットプレート４３をスライドさせることにより、ロックスプリング６６´は各ボタン本体５４のストッパフランジ５７から外れ、したがって、全ボタン本体５４はスプリング６２による弾圧力により初期姿勢に復帰する。
【００５１】
尚、この間、非記憶状態のボタン本体５４は押し込まれた姿勢にはない図７の左半分の状態にあるために、クリヤーボタン４８を押しても、リセット状態にあることになり、そこで、全てのボタン本体５４は非記憶状態のリセット姿勢になる。
【００５２】
そして、再びドアを締める時に施錠する場合には、使用者が記憶しているキーワードに従って当該カバープレート９のキーワードの番号に応じて、カバーボタン１０を軸方向に押し込んで各ストッパフランジ５７とストッパフランジ６０´の間隙５８にロックスプリング６６´を係止させて押し込み状態のロック状態を維持し、そこで、レバーハンドル７´´を施錠方向に回転させると、解錠状態と同様にキープレート４０はボタン本体５４とは干渉せず、会合状態にあるために所定量スライドし、角芯棒８´を介し本締り錠６が施錠方向に回転しデッドボルト５は進出状態になり、本来の施解錠機能が全うされる。
【００５３】
そして、不測の事態により当該ボタン錠１´が施解錠不能になった場合には、図示しないマスターキーをマスターキー孔３２，３２´を介して差し込み、本締り錠を施解錠すれば良い。
【００５４】
そして、使用者の都合により、不測状態のキーワードを変更したい場合には、デッドボルト５の表側のケースフレーム２´の裏板４６の孔４４の側部に記載されているキーワードの数字、及び、文字をガイドにして視認され得る各ボタン本体５４のマイナスノッチのすり割り５６をして記憶状態のキーワード方向に１８０゜回転させることにより、記憶状態のキーワードが変更することが自在に行得る。
【００５５】
尚、この出願の発明の実施態様は上述実施例に限るものでないことは勿論であり、例えば、ハンドルはレバーハンドルタイプのみならず、例えば、握り玉方式等のタイプやサムターン方式のタイプのハンドルでも良く、設計変更的にはボタン本体４８のストッパフランジ５７の扇形状については設計的に適宜に行えることは勿論のことである。
【００５６】
又、ボタン本体５４やカバーボタン１０については硬質ゴム製や樹脂製のものにする等も設計変更の範囲内である。
【００５７】
そして、又、適用対象のドアは観音開きタイプのものばかりでなく、スライド式のものにも適用出来ることは勿論のことである。
【００５８】
【発明の効果】
以上、この出願の発明によれば、基本的にドアに埋設された本締り錠のデッドボルトを進退自在にする該本締り錠に対し、予め設計されたキーワードのボタンを押し込むことにより、施解錠可能であることが現出され、したがって、煩瑣なキー操作の必要がなく、そのため、キー忘れによる施解錠の不便さもなく、スムーズに施解錠が出来、防犯錠としても極めて安心感がもてるという優れた効果が奏される。
【００５９】
又、施錠に際してもキー操作が不要であり、ボタン操作が不必要で、所謂締り勝手にする利点もある。
【００６０】
又、ボタン本体やカバーボタンやボタン本体，ロックスプリング等を組付上、同一サイズにすることが出来るために、量産性が良く、したがって、コスト的にも安く出来、部品の共通化が図られ、単にボタン本体のマイナスノッチの片側のみの色分けをすることにより、ボタンの記憶状態のキーワードの選択が自由に行え易いというメリットがある。
【００６１】
而して、この出願の発明においては、ボタン本体の記憶状態のキーワードの組み合わせを予め選定することにより、記憶状態，非記憶状態のボタンのキーワードの組み合わせの選定や非選定を選択的に行うことが出来るために、上述の如く量産性が良く、コスト的にも安く出来るのみならず、キーワードの選択的な組み合わせが容易に出来る自由度があり、製造段階や卸段階における取り付け施工業者の同一キーワードの組み合わせ番号は勿論のこと、使用者側の必要性に応じて当該キーワードの組み替えが容易に行えるという組付、使用時における自由度が高いという効果がある。
【００６２】
又、ボタン本体のシャンクが板状でなくバー状に形成されてそのシャンクに二段のストッパフランジを設け、キープレートのスライドノッチに会合して遊装自在にされているために、該キープレートと会合して交叉する状態においてのみキープレートが該ボタン本体を相対スライド出来、会合状態にあっても、ボタン本体の上下二段のストッパフランジがキープレートのスライドノッチの一方端に設けられた山形形状の突起部、及び、キープレートが相対スライドするボタン押えプレートのボタン孔の他方端側に設けられている三角形状の突起部に係合することにより、絶対的にボタン本体の回転が防止されて不測にして故意、又は、犯意によるボタン本体の押し込みに伴う回転が生ずる虞がなく、又、無理にキープレートをハンドルの回転により自由にスライドさせようとしても、該二段のストッパフランジと両フックノッチの二重の係合により、キープレートとボタン本体の相対スライドが阻止され、したがって、当該係合部が亜鉛製のキープレートであっても、摩耗が生ずることがなく、その限り、耐久性も良好となる優れた効果が奏される。
【００６３】
又、キープレートに相対スライドするボタン押えプレートとリセットプレートとの間に該キープレートがスライド自在に介装されていることにより、それらの間に弾圧スプリングが介装されているために、不測にしてハンドルを自由に回転させても、キープレートが自由にはスライドせず、使用に応じたハンドルの回転作用によってのみキープレートがスライド出来るという利点がある。
【００６４】
而して、ハンドルの回転軸にはスナップワッシャーやハンドル固定用のワッシャーが介設されていることにより、該ハンドルが容易には抜け取りされず、したがって、故意、又は、犯意によりハンドルを取り外して持ち去るということ等が出来ず、防犯上の安全対策としては極めて有効であるという効果が奏され、又、該ハンドルの回転軸との間にはネジボルトを挿設されているために、上述の如くハンドルの故意、又は、犯意による抜け取りが防止されるのみならず、該ハンドルの右勝手，左勝手が該ネジボルトの切り換え、締め付けにより選択的に自由に行えるという利点がある。
【００６５】
又、キープレートとボタン押えプレートの間にボタン座金がスプリングを介して挿入されていることにより、悪意，犯意を持ってハンドルを介しキーをプレートを微少量移動させることにより、順にキーワードを察知して記憶状態のボタンが探られることがなく、この点からも防犯上の安全性は極めて高いという優れた効果が奏される。
【００６６】
又、ボタンの回転用のマイナスノッチの片側を色分けすることにより、裏板側から該ボタンのマイナスノッチをマイナスドライバーにより１８０゜回転させることが出来るため、記憶状態のキーワードを設定出来易いという優れた効果が奏される。
【００６７】
更に、ボタンの一つにボタン解除用のクリヤーボタンとして設けることが出来ることにより、キーワードに従わないボタンの押し込み操作を誤ってなされた場合に、該クリヤーボタンを押し込むことによりリセットプレートが所定量スライドされて全てのボタンがロック解除されるようにされることにより、ハンドルを回転させてキープレートやボタン押えプレートのフックノッチ等の会合部を破壊することがなく、したがって、全機械的機構部の作動部は対摩耗性の金属性のものにされていることと相俟ってボタン錠の機構部の耐久性が向上し、不測のトラブル等が発生せずに済むという利点がある。
【００６８】
そして、クリヤーボタンにより初期状態にリセットされることにより、ボタンのミス押し込みがなされた場合にも、再びキーワードによる正規の記憶状態のボタンを軸方向に押し込むことにより、ハンドルの回転による回転カムを介してのキープレートのスライドが可能となり、本締り錠の正規の解錠が可能となる効果がある。
【００６９】
そして、上述の如くキープレートやボタン押えプレートが耐久性が良く、したがって、亜鉛製品を用いることが出来るために、金型等の流用も可能となり、成形加工がし安く、原材料に対するコストダウンを維持出来るというメリットもある。
【００７０】
又、ボタン本体を旧来技術の板状のものにせず、バー状に形成し、記憶状態，非記憶状態の正立状態や反転状態にする必要がなく、したがって、正反転して差し替える必要がなく、単に、ボタン本体をマイナスノッチのすり割りを介して回転させるだけで記憶状態と非記憶状態が検出出来るという操作上の利点があり、又、マイナスノッチのすり割りを介してキーワードに従って１８０゜回転することにより、記憶状態と非記憶状態に選択的に切り換えすることが出来るために、在来態様のボタン本体の如く、９０゜切り換えよりも切り換え角度が大きく、したがって、キープレートとボタン本体の二段のストッパフランジとの係合の自由度が大きくなり、そのため、ボタン本体のロックとキープレートとの相対スライド可能な会合状態以外の該スライド状態における係合部の摩耗度が少く、したがって、上述の如く量産可能な亜鉛製の材料を用いても、耐久性が良好に保持出来るという優れた効果が奏される。
【図面の簡単な説明】
【図１】  この出願の発明の１実施例の全体概略斜視図である。
【図２】  同ドア表側のケースフレーム内の機構部の部分積層状態の分解斜視図である。
【図３】  クリヤーボタンの外観図であり、（ａ）はその上面図であり、（ｂ）はその斜視図であり、（ｃ）は底面図であり、（ｄ）は側面図であり、（ｅ）背面図である。
【図４】  ボタン本体の外観図であり、（ｆ）はその底面図であり、（ｇ）はその平面図であり、（ｈ）は底面図であり、（ｉ）は一方向からの側面図であり、（ｊ）他方向からの側面図である。
【図５】  ボタンの外観図であり、（ｋ）はカバーボタンとボタン本体の取り合い分解斜視図であり、（ｌ）はカバーボタンとクリヤーボタンの取り合い分解斜視図である。
【図６】  クリヤーボタンのリセットプレートに対する作用断面図である。
【図７】  ボタン本体のキープレートに対する記憶状態，非記憶状態の断面図である。
【図８】  ボタン本体のストッパフランジとキープレートのスライドノッチの取り合い機能図であり、（ｍ）は記憶状態のボタン本体の非押し込み状態の平面図であり、（ｎ）は押し込み状態の底面図であり、（ｏ）非記憶状態のボタン本体とキープレートのスライドノッチの取り合い機能図であり、（ｐ）は係合状態の底面図である。
【図９】  ボタン本体のロック機能図であり、（ｑ）はキープレートのフックノッチとボタン押えプレートのフックノッチの相互取り合いの斜視図であり、（ｒ）はフックノッチとボタン本体の二段ストッパフランジの非押し込み状態の取り合い斜視図であり、（ｓ）は押し込み状態の取り合い斜視図である。
【図１０】  カバープレートの表面図である。
【図１１】  同裏面図である。
【図１２】  ボタン押えプレートの表面図である。
【図１３】  同裏面図である。
【図１４】  キープレートの表面図である。
【図１５】  同キープレートのスライドノッチの拡大正面図である。
【図１６】  リセットプレートの平面図である。
【図１７】  同中心縦断面図である。
【図１８】  リセットプレートの平面図である。
【図１９】  外側レバーハンドルの部分図であり、（ｔ）その分解斜視図であり、（ｕ）は同回転軸の概略斜視図である。
【図２０】  内側のレバーハンドルの取り合い斜視図である。
【図２１】  旧来技術に基づくボタン錠の分解斜視図である。
【図２２】  同ボタン本体としてのタンブラーの斜視図である。
【図２３】  従来技術に基づくボタン錠の分解取り合い斜視図である。
【図２４】  同右勝手，左勝手の切り換え機構の平面図である。
【符号の説明】
２´            ケースフレーム
９´            カバープレート
１０            カバーボタン
５４            ボタン本体
５              デッドボルト
４０            キープレート
７´´          ハンドル
８´            角芯棒
６              本締り錠
１´            ボタン錠
３７            スライドノッチ
６０，６０´    ストッパフランジ（カムフランジ）
５６            マイナスノッチ（すり割り状の）
４３            リセットプレート
７２´          回転軸
８５´          固定用ネジ
４８            クリヤーボタン
７１，７１´    突起部（山形状の）
３６            ボタン押えプレート
６６´          ロックスプリング
６１            フックノッチ
４２´          カム面
６４            スプリング
８１            ハンドル固定用のワッシャー
７２            基部
８５            ネジボルト
６３            ボタン止め座金
６４            スプリング
８４，８４´    スナップワッシャー
６９，６９´    ロックノッチ
３７            スリットノッチ
【図１】
0003648043.tif 000002
【図２】
0003648043.tif 000003
【図３】
0003648043.tif 000004
【図４】
0003648043.tif 000005
【図５】
0003648043.tif 000006
【図６】
0003648043.tif 000007
【図７】
0003648043.tif 000008
【図８】
0003648043.tif 000009
【図９】
0003648043.tif 000010
【図１０】
0003648043.tif 000011
【図１１】
0003648043.tif 000012
【図１２】
0003648043.tif 000013
【図１３】
0003648043.tif 000014
【図１４】
0003648043.tif 000015
【図１５】
0003648043.tif 000016
【図１６】
0003648043.tif 000017
【図１７】
0003648043.tif 000018
【図１８】
0003648043.tif 000019
【図１９】
0003648043.tif 000020
【図２０】
0003648043.tif 000021
【図２１】
0003648043.tif 000022
【図２２】
0003648043.tif 000023
【図２３】
0003648043.tif 000024
【図２４】
0003648043.tif 000025